(57)【要約】空気入り運動用踏み板及びその踏み板用空気入り緩衝支持部脚を開示する。空気入り運動用踏み板（１）は板状の基板（１０）と、空気入り緩衝支持脚（３０）とを含む。各空気入り緩衝支持脚は、基板を支持するために基板の下面に設けられ、基板に加わる荷重を空気緩衝効果により吸収する。運動用踏み板は高い空気緩衝効果を有するので、使用者の膝を怪我から保護するともに、使用者が快適且つ安全に運動することができ、緩衝作用が働く際に生じる騒音を最小限に抑える。また、空気入り運動用踏み板は基板がその基板に加わる荷重により変形することを防止する。
2005507291.tif 000002
【特許請求の範囲】
【請求項１】
板状基板と、
基板を支持するために基板の下面に設けられ、空気緩衝効果によって基板に加わる荷重を吸収する空気入り緩衝支持脚とを含む空気入り運動用踏み板。
【請求項２】
前記空気入り緩衝支持脚は、
異なる容積を有する、層構造を形成するように配列された複数の管状膨出部と、
支持面に接触している閉鎖された土台部と、
通気路を形成するために部分的に開放された上端部とを有する本体部と、
上端部の開放部に設けられた、本体部に流入及び本体部から流出する空気の量を調節する空気調整部と、
空気調整部が設けられた本体部の上端部を覆うカバー部材とを含む請求項１に記載の空気入り運動用踏み板。
【請求項３】
前記本体部の上端部の開放部は、
前記本体部の上端部の中央に形成された中央開口部と、
所定の間隔をあけて前記本体部の上端部の円周に沿って設けられ、中央開口部に連通する複数のラジアル・スリットとを含む請求項２に記載の空気入り運動用踏み板。
【請求項４】
前記空気調整部は、
前記中央開口部内に取り付けられた調整本体と、
前記調整本体から半径方向外側に延びており、ラジアル・スリット内に放射状に取り付けられる複数のフランジ部とを含み、前記空気調整部は本体部に流入及び本体部から流出する空気の量を調整する請求項３に記載の空気入り運動用踏み板。
【請求項５】
前記調整本体には、
前記本体部に流入及び本体部から排出する空気量を更に調整する少なくとも一つの貫通孔が形成される請求項４に記載の空気入り運動用踏み板
【請求項６】
前記空気調整部は多孔質材料から成る請求項１乃至５のいずれかに記載の運動板。
【請求項７】
記複数の膨出部は、
本体の土台部に隣接して設けられる第１の膨出部と、
前記１の膨出部の上に配置され重層構造を形成し、第１の膨出部より半径が小さい第２膨出部とから構成される請求項１に記載の空気入り運動用踏み板。
【請求項８】
前記本体の土台部から複数の脚部が突設されているため、本体の土台部が荷重により圧搾されるのを防止する請求項１に記載の空気入り運動用踏み板。
【請求項９】
前記空気入り緩衝支持脚は、
少なくとも２層構造を有する本体と、
前記本体から緩衝空気を部分的に外部へ排出させる働きをする空気調整部とを含む請求項１に記載の空気入り運動用踏み板。
【請求項１０】
前記空気入り緩衝支持脚は、
基板を支持するために前記基板の下面に少なくとも３箇所に配置され、前記本体は３つの膨出部を有し、垂直方向に積層されている請求項９に記載の空気入り運動用踏み板。
【請求項１１】
前記空気調整部は、
前記本体の開放部を覆い、異なる大きさの通気孔を有するカバー部と、
前記通気孔の開口率を調整するために前記カバー部に対して回転可能に取り付けられる調整部とを含む請求項９に記載の空気入り運動用踏み板。
【請求項１２】
前記調節部には把手が設けられる請求項１１に記載の空気入り運動用踏み板。
【請求項１３】
前記複数の空気入り緩衝支持脚は、
弾性材で形成される本体と、
前記本体内に取り付けられる空気入り緩衝管とを含む請求項１に記載の空気入り運動用踏み板。
【請求項１４】
前記本体の凹部に空気入り緩衝管が取り付けられるように前記本体の側部に凹部が形成され、凹部の内壁と空気入り緩衝管との間に公告部材が設けられる請求項１３に記載の空気入り運動用踏み板。
【請求項１５】
前記空気入り緩衝支持脚間には、
空気入り緩衝支持脚とともに基板に加わる荷重を弾性的に吸収する弾性材で形成される補助支持脚が設けられる請求項１０に記載の空気入り運動用踏み板。
【請求項１６】
前記空気入り運動用踏み板は、
更に、基板の所定部に設けられたステップの回数及び時間のうち少なくともひとつを表示するディスプレイ装置と、
ディスプレイ装置を制御する調整部とを含む請求項１に記載の空気入り運動用踏み板。
【請求項１７】
支持部の下部に設けられ、前記支持部に加わる荷重を吸収する空気入り緩衝支持脚であって、
少なくとも２層又は多層構造を有する本体部と、
支持部に荷重が加わると、前記本体内の緩衝空気の一部を外部へ排出する空気調整部とを含む空気入り緩衝支持脚。
【請求項１８】
支持部の下部に設けられ、
前記支持部に加わる荷重を吸収する空気入り緩衝支持脚であって、
異なる容積を有する、層構造を形成するように配列された複数の管状膨出部と、
支持面に接触している閉鎖された土台部と、
通気路を形成するために部分的に開放された上端部とを有する本体部と、
上端部の開放部に設けられた、本体部に流入及び本体部から流出する空気量を調整する空気調節部と、
前記空気調整部が設けられた本体部の上端部を覆うカバー部材とを含む空気入り緩衝支持脚。
【発明の詳細な説明】
【技術分野】
【０００１】
本発明は、概して、運動用踏み板及び踏み板用空気入り緩衝支持脚に関し、より詳しくは、優れた空気緩衝効果を有することにより、使用者の膝を怪我から保護するとともに、使用者が快適且つ安全に運動することができるように設計され、且つ、緩衝作用が働く際に生じる騒音を最小限に抑えるように設計された運動用踏み板に関する。
【背景技術】
【０００２】
図１は従来の運動用踏み板の斜視図である。同図に示すように、従来の運動用踏み板１００は、長方形の基板１１０と４本の支持脚１３０を含む。支持脚１３０は、基板１１０の下面の４角に設けられ、弾性材で形成されている。基板１１０の上面には、足接触板１２０が設けられ、実際に、使用者の足が、基板１１０の足接触板１２０に接触する。
【０００３】
運動用踏み板１００を用いて運動したい場合には、このような構成を有する運動用踏み板１００を平坦面、すなわち床の上に置き、その後、使用者は、基板１１０の足接触板１２０に繰り返し踏み込んだり、踏み降りたりするか、あるいは、足接触板１２０にジャンプする。この際、使用者の荷重は、支持脚１３０を介して、足接触板１２０及び基板１１０から接地面に伝達される。
【０００４】
この場合、支持脚１３０は弾性変形して、基板１１０に加えられた荷重を吸収して、衝撃が使用者の膝に加わるのを防止する。すなわち、このような運動用踏み板１００により、使用者が運動用踏み板１００の足接触板１２０に繰り返し踏む込んだり、踏み降りたり、又は、ジャンプしたりする際に、使用者の膝を怪我から防止する。
【０００５】
しかし、このような従来の運動用踏み板１００には、支持脚１３０のみがポリウレタンのような緩衝材で形成されているため、運動用踏み板１００の緩衝力は、使用者の膝に加わる衝撃を防止するには不十分であるという問題点がある。従って、従来の運動用踏み板１００では、使用者の膝に加わる衝撃を十分に防止せず、使用者は安全且つ快適に運動することができない。
【０００６】
更に、支持脚１３０のみが緩衝力を有するため、運動用踏み板１００を長期間使用すると、足接触板１２０及び基板１１０が不要に変形する恐れがあるという別の問題点がある。そして、従来の運動用踏み板１００には、支持脚１３０の緩衝力が調整されないので、使用者の体重に応じて異なる運動用踏み板を購入しなければならないという、更に別の問題点がある。
【発明の開示】
【発明が解決しようとする課題】
【０００７】
従って、本発明は上記のような従来技術の問題点に鑑みてなされたものであり、本発明の目的は、優れた緩衝効果を有して、使用者の膝を怪我から保護するとともに、使用者が快適且つ安全に運動することができる、空気入り緩衝支持脚付き運動用踏み板を提供することにある。
【０００８】
本発明の別の目的は、緩衝作用が働く際に生じる騒音を最小限に抑え、且つ、優れた緩衝効果を有するように設計された、空気入り緩衝支持脚付き運動用踏み板を提供することにある。
【０００９】
本発明のさらに別の目的は、使用者の荷重により基板が不要に変形することを防止するように設計された、空気入り緩衝支持脚付き運動用踏み板を提供することにある。
【００１０】
本発明のさらに別の目的は、使用者が運動中に踏み込み回数と運動時間をチェックできるように設計された、空気入り緩衝支持脚付き運動用踏み板を提供することにある。
【課題を解決するための手段】
【００１１】
上記の目的を達成するため、本発明は、板状基板と、基板を支持するために基板の下面に設けられ、空気緩衝効果によって基板に加わる荷重を吸収する空気入り緩衝支持脚とを含む、運動用踏み板を提供する。
【００１２】
更に、上記の目的を達成するため、本発明は、支持部の下部に設けられ、支持部に加わる荷重を吸収する運動用踏み板用空気入り緩衝支持脚であって、２層又は多層構造を有する本体部と、支持部に荷重が加わると、本体部内の緩衝空気の一部を外部へ排出する空気調整部とを含む、運動用踏み板用空気入り緩衝支持脚を提供する。
【００１３】
上記の目的を達成するため、本発明は、支持部の下部に設けられ、支持部に加わる荷重を吸収する運動用踏み板用空気入り緩衝支持脚であって、異なる容積を有する、層構造を形成するように配列された複数の管状膨張部と、支持面に接触している閉鎖された土台部と、通気路を形成するために部分的に開放された上端部とを有する本体部と、上端部の開放部に設けられた、本体部に流入及び本体部から流出する空気の量を調整する空気調整部と、空気調整部が設けられた本体部の上端部を覆うカバー部材とを含む運動用踏み板用空気入り緩衝支持脚を提供する。
【発明の効果】
【００１４】
以上説明したように、本発明は、優れた緩衝効果により使用者の膝に衝撃が伝えられるのを防止するとともに、使用者が快適且つ安全に運動することができる運動用踏み板を提供する。
【００１５】
また、本発明は、緩衝作用が働く際に生じる騒音を最小限に抑え、且つ優れた緩衝効果を有する運動用踏み板を提供する。本発明の運動用踏み板は、従来の運動用踏み板よりも優れた緩衝効果を有するため、基板が変形することを防止することができるので、寿命が長い。
【００１６】
本発明は、ディスプレイ部を備える運動用踏み板を提供するとともに、使用者が踏み込み回数と運動時間をチェックできるようになる。
【発明を実施するための最良の形態】
【００１７】
本発明の好適な実施態様を例示的目的で開示してきたが、当業者は以下の請求の範囲の中で開示された本発明の範囲と精神から逸脱することなく、様々な変形、追加及び代替が可能であることは言うまでもないと理解している。
【００１８】
以下、図面を参照して本発明を説明するが、図面において、同一符号は同一又は類似した部品を示す。
【００１９】
図２は本発明の第１実施例による運動用踏み板の斜視図である。同図に示すように、本発明の第１実施例による運動用踏み板１は、板状基板１０と４本の空気入り緩衝支持脚３０を含む。空気入り緩衝支持脚３０は、基板１０の下面の基板１０の４角に取り付けられる。
【００２０】
基板１０の上面には、複数のエンボス突起２０が形成される。エンボス突起２０は、運動の際、使用者が基板１０の上で滑ったり転んだりすることを防止するとともに、使用者の足裏をマッサージする機能を有する。エンボス突起２０は、別個に製造して、基板１０の上面に取り付けてもよいが、基板１０と一体的に成形されるのが好ましい。
【００２１】
基板１０は、一種の積層圧縮木材であり、合成樹脂の添加(is added)された多層の薄板を高温高圧下で加工して製造される。基板１０はこのようにして製造されると、幾分固くなり、優れた弾力性及び弾性ひずみを有するので、簡単には損傷したり変形したりしない。
【００２２】
基板１０の下面の基板１０の４角には、複数の空気入り緩衝支持脚３０が設けられ、基板１０に加わる荷重を吸収する。このような空気入り緩衝支持脚３０は、基板１０の下面で基板１０に接着剤で取り付けられる。又は、空気入り緩衝支持脚３０は、基板１０の下面で基板１０にネジ止めされる。
【００２３】
図３及び図４ａ乃至図４ｃに示すように、空気入り緩衝支持脚３０は各々、本体３１、空気調整部３５、及びカバー部材３４を含む。本体３１は、異なる容積を有し、層構造を形成するように配列された複数の管状膨出部３１ｂ及び３１ｃを有す。また、本体３１は、土台部３１と上端部３１ｄを有す。土台部３１は、閉鎖され、支持面に接触する。上端部３１ｄは部分的に開放され、通気路を形成する。空気調整部３５は、上端部３１ｄの開放部３３に取り付けられ、本体３１に流入及び本体３１から流出する空気の量を調整する。カバー部材３４は、空気調整部３５が取り付けられている本体３１の上端部３１ｄを覆う。
【００２４】
図４ａに示すように、本体３１の上端部３１ｄの開放部３３は、中央開口部３３ａ及び複数のラジアル・スリット３３ｂを含む。中央開口部３３ａは、本体３１の上端部３１ｄの中央に形成される。ラジアル・スリット３３ｂは、中央開口部３３ａに連通するように所定の間隔をあけて本体３１の上端部３１ｄの円周に沿って設けられる。ラジアル・スリット３３ｂは、一つだけ形成することもできるが、本発明の第１実施例のように、複数のラジアル・スリットを形成することが好ましい。
【００２５】
すなわち、使用者が基板１０の上に踏み込んだりジャンプしたりすると、空気が本体３１から中央開口部３３ａ及びラジアル・スリット３３ｂを介して外部へ排出され、次いで複数の膨張部３１ｂ及び３１ｃが圧搾されて、基板１０に加えられた荷重を吸収する。
【００２６】
本体３１の上端部３１ｄに開放部３３のみが形成されている場合には、空気があまりにも簡単に本体３１に流入及び本体３１から排出されるので、基板１０に加えられた荷重がうまく吸収されない。従って、本発明によると、開放部３３に、スポンジのような多孔質材料から成る空気調整部３５が設置される。
【００２７】
図５ａに示すように、空気調整部３５は、調整本体３５ａと複数のフランジ部３５ｂを含む。調整本体３５ａは、中央開口部３３ａ内に取り付けられる。フランジ部３５ｂは、調整本体３５ａから半径方向外側に延びており、ラジアル・スリット３３ｂ内に取り付けられる。
【００２８】
空気調整部３５が本体３１の上端部３１ｄの開放部３３内に取り付けられた後に、使用者が基板１０の上に踏み込んだりジャンプしたりすると、空気が、中央開口部３３ａ内に取り付けられた調整本体３５ａとラジアル・スリット３３ｂ内に取り付けられたフランジ部３５ｂを介して、本体３１から外部へ排出され、同時に、膨出部３１ｂ及び３１ｃが圧搾されて、基板１０に加えられた荷重を吸収する。本発明によると、空気調整部３５は多孔質材料から形成されるため、空気が本体に流入したり本体から排出される場合であっても、騒音が発生しないので、使用者は、快適且つ安全に運動することができる。
【００２９】
一方、図５ｂに示すように、空気調整部３５’は、図５ａの空気調整部３５とは異なる形状を有する。つまり、複数の貫通孔３５ｃが調整本体３５ａに設けられ、本体３１に流入したり本体３１から排出される空気の量を更に調整する。この場合、貫通孔３５ｃの形状及び数は、変更し得る。
【００３０】
図５ｂに示すように、調節本体３５ａに複数の貫通孔３５ｃを有する空気調整部３５’は、図５ａに示す空気調節部３５と比較してより高い緩衝効果を有する。従って、図５ａの空気調節部３５を備えた空気入り緩衝支持脚３０は、体重の重い大人に適しており、一方、図５ｂの空気調節部３５’を備えた空気入り緩衝支持脚３０は、体重の軽い大人や子供に適している。
【００３１】
図４ｂに示すように、膨出部３１ｂ及び３１ｃは、第１の膨出部３１ｂと第２の膨出部３１ｃを含む。第１の膨出部３１ｂは、本体３１の土台部３１ａに隣接して設けられる。第２の膨出部３１ｃは、第１の膨出部３１ｂの上に配置され、重層構造を形成する。
【００３２】
高い緩衝効果と安定性を維持するためには、図４ｂに示すように、第１の膨出部３１ｂの半径Ｒ１は、第２の膨出部３１ｃの半径Ｒ２よりも大きいことが好ましい。更に、土台部３１ａ、第１の膨出部３１ｃ、第２の膨出部３１ｄ、及び上端部３１ｂの間の接合部は、くびれて、内側に丸みがつけられて（“Ａ”を参照）、本体３１が滑らかに圧搾されるのが好ましい。もちろん、第１の膨出部３１ｂの半径Ｒ１、第２の膨出部３１ｃの半径Ｒ２、及び第１及び第２の膨出部３１ｂ及び３１ｃの容量は、基板１０の大きさと荷重の大きさに応じて適切に設定されなければならないが、ここではそのようなバリエーションの詳細な説明は省略する。
【００３３】
図４ｃに示すように、本体３１の土台部３１ａの下面からは、複数の脚部３２が突設されており、本体３１の土台部３１ａが荷重により圧搾されるのを防止する。本発明の第１実施例において、脚部３２は各々、長方形のブロック形状であるが、脚部３２は、長方形のブロック形状に限定されずに、様々な異なる形状を有し得る。
【００３４】
このように構成された運動用踏み板１の使用方法について、下記に説明する。
まず、運動用踏み板１を平らな面、すなわち床に配置する。次に、使用者が基板１０上に繰り返し踏み込んだり踏み降りたり、又は、基板１０上でジャンプすると、基板１０に加えられた荷重が、基板１０と空気入り緩衝支持脚３０を介して支持面に伝達される。
【００３５】
この際、基板１０に加えられた荷重は、ある程度、基板１０によって吸収されるが、荷重は大部分は、空気入り緩衝支持脚３０によって吸収される。すなわち、使用者が基板１０を圧縮すると、空気が、本体３１から、中央開口部３３ａ内に取り付けられた調整本体３５ａ及びラジアル・スリット３３ｂ内に取り付けられたフランジ部３５ｂを介して、外部へ排出される。同時に、第２の膨出部３１ｃは、第１の膨出部３１ｂに向かって下方に圧搾されて、基板１０に加えられた荷重を吸収する。
【００３６】
この場合、空気入り緩衝支持脚３０には各々、多孔質材料から成る空気調整部３５が設けられているので、本体３１から空気が外側に排出される際でさえも、騒音が発生するのを防止し、使用者は、快適且つ安全に運動することができる。
【００３７】
もちろん、前述したように、図５ａの空気調節部３５を備えた空気入り緩衝支持脚３０は、体重の重い大人に適しており、一方、図５ｂの空気調節部３５’を備えた空気入り緩衝支持脚３０は、体重が軽い大人や子供に適している。
【００３８】
このように、空気入り緩衝支持脚３０を備えた運動用踏み板１は、緩衝作用が働く際に生じる騒音を最小限に抑えるとともに、優れた緩衝効果を有しているため、使用者の膝を怪我から守り、使用者が快適且つ安全に運動できるようにしている。
【００３９】
図６に示すように、本発明の第２実施例による運動用踏み板１は、長方形の板状基板１０と複数の空気入り緩衝支持脚３０を含む。空気入り緩衝支持脚３０は、基板１０の下面の基板１０の４角に取り付けられる。基板１０の上面には、長方形の足接触板２０が設けられる。足接触板２０は、ゴムのような弾性材料から成り、使用者に快適さを提供し、多少の緩衝効果を有する。
【００４０】
基板１０は、一種の積層圧縮木材であり、合成樹脂の添加(is added)された多層の薄板を高温高圧下で加工して製造される。従って、基板１０は、幾分固くて、優れた弾力性及び弾性ひずみを有するので、簡単には損傷したり変形したりしない。
【００４１】
基板１０の所定部に、ディスプレイ装置１４が設けられる。ディスプレイ装置１４は、コントロール部（図示せず）に連結され、ステップの回数及び時間のうちの少なくとも一つを表示する。従って、使用者は、運動の際に、所望のステップ回数及び時間を設定することができる。
【００４２】
図７に示すように、基板１０の下面の基板１０の４角には、複数のボルト１０ａが設けられる。空気入り緩衝支持脚３０の各々に、ボルト受け部３０ａが設けられ、ボルト１０ａが、ボルト受け部３０ａに締結される（図８ａ参照）。つまり、基板１０のボルト１０ａを、空気入り緩衝支持脚３０のボルト受け部３０ａに締結することにより、空気入り緩衝支持脚３０は容易に基板１０に取り付けられる。
【００４３】
図面には図示していないが、ボルト１０ａ及びボルト受け部３０ａの位置は、変更することが可能である。すなわち、空気入り緩衝支持脚３０にボルト１０ａを設け、基板１０の下面にボルト受け部３０ａを設けることもできる。
【００４４】
基板１０の下面には、空気入り緩衝支持脚３０が設けられ、基板を支持し、基板１０に加えられた荷重を吸収する。空気入り緩衝支持脚３０は各々、本体４０と空気調整部５０を含む。本体４０は、ポリウレタンのような材質から成る。空気調整部５０は、荷重が基板１０に加えられると、緩衝材となる空気を本体４０から外側に排出する機能を果たす。
【００４５】
本体４０は、二つの膨張部を有する二層構造であるか、又は、四つ以上の膨張部を有する多層構造であってもよい。しかし、本発明の第２実施例によると、本体４０は、三つの膨出部４０ａ、４０ｂ、４０ｃを有し、これらは垂直方向に積層される。
【００４６】
図８ｂに示すように、本発明の第２実施例による空気調整部５０は、カバー部５１と調整部５２とを含む。カバー部５１は、本体４０の開放部を覆う。カバー部５１には、異なる大きさの通気孔５１ａ及び５１ｂが形成される。調整部５２は、カバー部５１に対して回転可能に取り付けられ、通気孔５１ａ及び５１ｂを選択的に開閉する。調整部５２には、把手５２ａが設けられているのが好ましい。
【００４７】
体重の重い大人が、本発明の運動用踏み板１を使用すると、調整部５２が回転して、小さい方の通気孔５１ａが開放される。一方、体重の軽い子供が、本発明の運動用踏み板１を使用すると、調整部５２が回転して、大きい方の通気孔５１ｂが開放される。このように、本発明の運動用踏み板では、緩衝効果を使用者の体重に応じて調整することができる。
【００４８】
本発明の第２実施例による運動用踏み板１の使用方法について下記に説明する。
まず、運動用踏み板１を平らな面、すなわち床に配置する。次に、使用者が基板１０の足接触板２０上に繰り返し踏み込んだり踏み降りたり、又は、足接触板２０の所定の位置でジャンプすると、基板１０に加えられた荷重が、基板１０と空気入り緩衝支持脚３０を介して支持面に伝達される。
【００４９】
この際、基板１０に加えられた荷重は、基板１０及び足接触板２０によってある程度吸収されが、荷重の多くは、空気入り緩衝支持脚３０によって吸収される。すなわち、荷重は主に、本体４０の膨出部４０ａ、４０ｂ、４０ｃが圧搾される際に吸収され、空気が本体４０から通気孔５１ａ及び５１ｂの少なくとも一方を介して外部へ排出される際に、補助的に吸収される。
【００５０】
体重の重い大人が運動用踏み板１を使用すると、調整部５２が回転して、小さい方の通気孔５１ａが開放される。一方、体重の軽い子供が運動用踏み板１を使用すると、調整部５２が回転して、大きい方の通気孔５１ｂが開放される。このように、本発明の運動用踏み板１では、緩衝効果を使用者の体重に応じて調整することができる。
【００５１】
本発明の第２実施例による運動用踏み板１では、空気入り緩衝支持脚３０により効果的に緩衝作用が働くので、使用者の膝に伝わる衝撃を減少させ、使用者が、快適且つ安全に運動することができ、荷重により基板１０が変形するのを防止することができる。さらに、使用者は、運動の際に、ステップの回数や時間を設定しこれを確認することができる。
更に、図８ｂに示す空気調整部５０は必ず必要とすものではない。
【００５２】
図９に示す第３実施例によると、各空気入り緩衝支持脚３０’の本体４０’は、二つのカバー部４２及び４３が、本体４０’の開放された下部に設けられるように設計される。この場合、二つのカバー部４２及び４３は、互いに部分的に重なりあって、重複部を形成する。調節ボルト４４は、カバー部４２と４３が、互いに所定の間隔づつ離れるように重複部に締結されて、本体４０’から排出される空気の量を調整する。
【００５３】
図１０に示す第４実施例によると、通気孔４５が本体４０”の側部に形成され、通気孔４５の開口率を調節するために、引き戸４６が通気孔４５に取り付けられる。また、第３及び第４実施態例による本体４０’及び４０”も、その下面に脚部３２を有する。
図示されていないが、より高い緩衝効果を得るために、本体４０の側部に所定サイズの貫通孔が多数形成されてもよい。
【００５４】
また、図１１ａに示す本発明の第５実施例によると、本体部１４０の上部に設けられるカバー部１５１に複数の通気孔１５１ａで穴をあける。調節部１５２を回転させるとき、１つ又は複数の通気孔１５１ａを開ける。あるいは、各々の空気入り緩衝支持脚の本体を図１１ａに示す構造を有するように設計してもよい。図１１ｂでは、図１１ａに対応する構成部分に参照符号を付ける。図１１ａで示されたのと同様の構成部分については、ここでは説明しない。
【００５５】
図１１ａ及び図１１ｂに示す本発明の第５及び第６の実施例によると、本体部１４０及び２４０の各々上部に通気孔１５１ａ及び２５２ａを設けているが、本発明の第７実施例によると、図１１ｃに示すように構成しても図１１ａ及び図１１ｂの通気孔１５１ａ及び２５２ａと同じ効果が得られる。すなわち、図１１ｃに示す第７実施例によると、本体部３４０の下面に複数の通気孔３５３ａを設け、引き戸３４６を設け、通気孔３５３ａを選択的に開閉し、通気孔３５３ａの開口率を調節する。また、本発明の第７実施例による脚部３４２は、上記の実施例とは異なり、本体部３４０の下面に放射状に設けられる。
【００５６】
図１２は本発明の第８実施例による運動用踏み板４０１を示す。この運動用踏み板４０１は、基板４１０を含む。足接触板４２０は、基板４１０の上面に設けられる。把手４７０は、足接触板４２０の周りの基板４１０の上面に設けられる。基板４１０の下面の基板４１０の４角には、複数の空気入り緩衝支持脚４３０が設けられる。
【００５７】
図１３に示すように、各々の空気入り緩衝支持脚４３０は、本体４３１と空気入り緩衝管４３３を含む。本体４３１は、熱可塑性ポリウレタンのような弾性材で形成されている。空気入り緩衝管４３３は、本体４３１内に取り付けられる。本体４３１の側部には凹部４３１ｂが形成される。より高い緩衝効果を得るため、本体４３１内には複数の空気入り緩衝孔４３１ａが垂直に形成される。
【００５８】
凹部４３１ｂには、本体４３１とともに基板４１０に加えられた荷重を吸収する空気入り緩衝管４３３が取り付けられる。空気入り緩衝管４３３は内部に空気が満たされた密閉管の形態で製造できる。また、空気入り緩衝管４３３は、透明な熱可塑性ポリウレタンで形成できるため、人々がここで後述する公告部材４３２を見ることができるようになる。
図１３に示す空気入り緩衝支持脚４３０とは異なり、二つ以上の空気入り緩衝管を本体の凹部に取り付けることもできる。
【００５９】
凹部４３１ｂの内壁と空気入り緩衝管４３３との間には広告部材４３２が設けられる。広告部材４３２は商品を宣伝する公告ロゴから構成される。しかし、空気入り緩衝支持脚４３０に広告部材４３２を設けなくてもよい。
【００６０】
各空気入り緩衝支持脚４３０間には、空気入り緩衝支持脚４３０とともに基板１０に加わる荷重を弾性的に吸収する補助支持脚４６０が設けられる。（図１４参照）各補助支持脚４６０は、熱可塑性ポリウレタンのような弾性材で形成される。より高い緩衝効果を得るために、各々の補助支持脚４６０には、空気入り緩衝孔４６０ａが垂直に形成される。
【００６１】
各補助支持脚４６０は各空気入り緩衝支持脚４３０より短く形成される。従って、本発明の第８実施例による運動用踏み板４０１が平坦面に置かれた場合、空気入り緩衝支持脚４３０は支持面に接触するが、補助支持脚４６０は支持面から離れている。
【００６２】
補助支持脚４６０は、過度な荷重のため基板４１０の変形量が標準を超える場合、補助支持脚４６０が支持面と接触することにより、基板４１０の変形量が弾性限界を超えることを防止する。一方、各々の補助支持部材４６０に形成された緩衝孔４６０ａには弾性変形量をさらに増大させる働きがある。
【００６３】
本発明の第８実施例による運動用踏み板４０１は、上記の実施例と同様に、本体４３１、本体４３１に形成された空気入り緩衝孔４３１ａ、空気入り緩衝管４３３、補助支持脚４６０及び補助支持脚４６０に形成された空気入り緩衝孔４６０ａを備えることにより空気緩衝効果を高めることができるので、使用者の膝に衝撃が伝わるのを防止するだけでなく、快適且つ安全に運動することができる。
【００６４】
本発明の上記実施例によると、各々の空気入り緩衝支持脚３０は本体４０及び空気調節部５０を含む。この場合、本体４０が３層構造を有し、比較的弾性力が高い熱可塑性のポリウレタンからなるので、各々の空気入り緩衝支持脚３０の本体４０のみを使用することで十分な緩衝効果を得ることができる。しかしながら、各々の空気入り緩衝支持脚３０が本体４０に加えて空気調節部５０も含む場合には、運動用踏み板１の緩衝効果が最大になる。
【００６５】
上記の実施態様によると、基板１０は積層圧縮木材から形成されているが、基板１０は弾性を有する木材又はその他の弾性材から形成することもできる。また、基板１０は長方形又は円形の形状を有するが、その他の形状を有することもできる。
【００６６】
上記の実施例によると、基板１０に足接触板２０が設けられるが、基板１０に足接触板２０を設けないこともある。
【００６７】
上記の実施例によると、基板１０を支持するために空気入り緩衝支持脚３０を基板１０の下面に設けると、運動の際、基板１０に加わる荷重を吸収する働きがある。しかし、空気入り緩衝支持脚３０は必ずしも基板１０に設ける必要はない。すなわち、緩衝効果を得るために、寝台又は椅子の支持脚（図示せず）に空気入り緩衝支持脚３０を取り付けることができる。支持脚に取り付けられた空気入り緩衝支持脚は、上記の実施例の空気入り緩衝支持脚３０と同様の構造を有するので、空気入り緩衝支持脚については説明しない。
【００６８】
図示されていないが、上記の実施例によると、空気調整部の代わりに本体の両側に吸気口及び排気口をそれぞれ設け、排気口に排気口の開口率を調節するダンパーを設けることにより、上記の実施例の空気調節部と同じ効果を有するようになる。
【産業上の利用可能性】
【００６９】
以上説明したように、本発明は、優れた緩衝効果により使用者の膝に衝撃が伝えられるのを防止するとともに、使用者が快適且つ安全に運動することができる運動用踏み板を提供する。
【００７０】
また、本発明は、緩衝作用が働く際に生じる騒音を最小限に抑え、且つ優れた緩衝効果を有する運動用踏み板を提供する。本発明の運動用踏み板は、従来の運動用踏み板よりも優れた緩衝効果を有するため、基板が変形することを防止することができるので、寿命が長い。
【００７１】
本発明は、ディスプレイ部を備える運動用踏み板を提供するとともに、使用者が踏み込み回数と運動時間をチェックできるようになる。
【００７２】
本発明の好適な実施態様を例示的目的で開示してきたが、当業者は以下の請求の範囲の中で開示された本発明の範囲と精神から逸脱することなく、様々な変形、追加及び代替が可能であることは言うまでもないと理解している。
【図面の簡単な説明】
【００７３】
本発明の前記及び他の目的、特徴及び他の利点は、添付図面に基いてなされた下記の詳
細な説明からより明確に理解されるであろう。
【図１】従来の運動用踏み板の斜視図である。
【図２】本発明の第１実施例による運動用踏み板の斜視図である。
【図３】図２で示した空気入り緩衝支持脚の分解斜視図である。
【図４ａ】図３で示した空気入り緩衝支持脚の平面図である。
【図４ｂ】図３で示した空気入り緩衝支持脚の側断面図である。
【図４ｃ】図３で示した空気入り緩衝支持脚の底面図である。
【図５ａ】本発明の第１実施例による空気入り緩衝支持脚に含まれる空気調整部の斜視図である。
【図５ｂ】本発明の第１実施例の変形例による空気調整部の斜視図である。
【図６】本発明の第２実施例による運動用踏み板の斜視図である。
【図７】図６に示した運動用踏み板の一部を示す側断面図であって、空気入り緩衝支持脚が基板から取り除かれた状態を示す。
【図８ａ】図６に示した運動用踏み板に含まれる第２実施例による空気入り緩衝支持脚の一つを示す斜視図である。
【図８ｂ】図６に示した運動用踏み板に含まれる第２実施例による空気入り緩衝支持脚の一つを示す斜視図である。
【図９】本発明の第３実施例による空気入り緩衝支持脚の側断面図である。
【図１０】本発明の第４実施例による空気入り緩衝支持脚の側断面図である。
【図１１ａ】本発明の第５による空気入り緩衝支持脚の平面図である。
【図１１ｂ】本発明の第６実施例による空気入り緩衝支持脚の平面図である。
【図１１ｃ】本発明の第７実施例による空気入り緩衝支持脚の底面図である。
【図１２】本発明の第８実施例による運動用踏み板の斜視図である。
【図１３】図１２に示した運動用踏み板に含まれる空気入り緩衝支持脚の分解斜視図である。
【図１４】図１２に示した運動用踏み板に含まれる補助支持脚の斜視図である。
【国際公開パンフレット】
2005507291.tif 000003
2005507291.tif 000004
2005507291.tif 000005
2005507291.tif 000006
2005507291.tif 000007
2005507291.tif 000008
2005507291.tif 000009
2005507291.tif 000010
2005507291.tif 000011
2005507291.tif 000012
2005507291.tif 000013
2005507291.tif 000014
2005507291.tif 000015
2005507291.tif 000016
2005507291.tif 000017
2005507291.tif 000018
2005507291.tif 000019
2005507291.tif 000020
2005507291.tif 000021
2005507291.tif 000022
2005507291.tif 000023
2005507291.tif 000024
2005507291.tif 000025
2005507291.tif 000026
2005507291.tif 000027
2005507291.tif 000028
2005507291.tif 000029
2005507291.tif 000030
2005507291.tif 000031
2005507291.tif 000032
2005507291.tif 000033
2005507291.tif 000034
【手続補正書】
【提出日】平成15年12月27日(2003.12.27)
【手続補正１】
【補正対象書類名】特許請求の範囲
【補正対象項目名】全文
【補正方法】変更
【補正の内容】
【特許請求の範囲】
【請求項１】
運動用踏み板において、
基板と、
前記基板の下面に設けられ、前記基板から加わる荷重を空気圧で吸収する緩衝支持部材とを含み、
前記空気入り緩衝支持脚は、
異なる容積を有する、層構造を形成するように配列された複数の管状膨出部と、
支持面に接触している閉鎖された土台部と、
通気路を形成するために部分的に開放された上端部とを有する本体部と、
上端部の開放部に設けられた、本体部に流入及び本体部から流出する空気の量を調節する空気調整部と、
空気調整部が設けられた本体部の上端部を覆うカバー部材とを含ことを特徴とする空気入り運動用踏み板。（訂正）
【請求項２】
前記本体部の上端部の開放部は、
前記本体部の上端部の中央に形成された中央開口部と、
所定の間隔をあけて前記本体部の上端部の円周に沿って設けられ、中央開口部に連通する複数のラジアル・スリットとを含む請求項１に記載の空気入り運動用踏み板。（訂正）
【請求項３】
前記空気調整部は、
前記中央開口部内に取り付けられた調整本体と、
前記調整本体から半径方向外側に延びており、ラジアル・スリット内に放射状に取り付けられる複数のフランジ部とを含み、前記空気調整部は本体部に流入及び本体部から流出する空気の量を調整する請求項２に記載の空気入り運動用踏み板。
【請求項４】
前記調整本体には、
前記本体部に流入及び本体部から排出する空気量を更に調整する少なくとも一つの貫通孔が形成される請求項３に記載の空気入り運動用踏み板
【請求項５】
前記空気調整部は多孔質材料から成る請求項１乃至４のいずれかに記載の空気入り運動用踏み板。（訂正）
【請求項６】
前記複数の膨出部は、
本体の土台部に隣接して設けられる第１の膨出部と、
前記１の膨出部の上に配置され重層構造を形成し、第１の膨出部より半径が小さい第２膨出部とから構成される請求項１に記載の空気入り運動用踏み板。（訂正）
【請求項７】
前記本体の土台部から複数の脚部が突設されているため、本体の土台部が荷重により圧搾されるのを防止する請求項１に記載の空気入り運動用踏み板。（訂正）
【請求項８】
前記空気入り緩衝支持脚は、
少なくとも２層構造を有する本体と、
前記本体から緩衝空気を部分的に外部へ排出させる働きをする空気調整部とを含む請求項１に記載の空気入り運動用踏み板。（訂正）
【請求項９】
前記空気入り緩衝支持脚は、
基板を支持するために前記基板の下面に少なくとも３箇所に配置され、前記本体は３つの膨出部を有し、垂直方向に積層されている請求項８に記載の空気入り運動用踏み板。（訂正）
【請求項１０】
前記空気調整部は、
前記本体の開放部を覆い、異なる大きさの通気孔を有するカバー部と、
前記通気孔の開口率を調整するために前記カバー部に対して回転可能に取り付けられる調整部とを含む請求項８に記載の空気入り運動用踏み板。
【請求項１１】
前記調節部には把手が設けられる請求項１０に記載の空気入り運動用踏み板。
【請求項１２】
前記複数の空気入り緩衝支持脚間には、
前記基板から加わる荷重を前記緩衝支持脚とともに吸収する弾性材の補助支持部が設けられることを特徴とする請求項９に記載の空気入り運動用踏み板。（訂正）
【請求項１３】
運動用踏み板において、
基板と、
前記基板の下面に設けられ、前記基板に加わる荷重を空気圧により吸収する緩衝支持部材とを含み、
前記緩衝支持部材は、
弾性材から成る支持本体と、
前記支持本体内に挿着される空気緩衝管とを含むことを特徴とする空気入り運動用踏み板。（訂正）
【請求項１４】
前記支持本体の側部には内部に陥没した溝部が形成され、
前記空気緩衝管は前記溝部に挿着され、前記溝部と前記空気緩衝管の間には所定の広告部材が設けられることを特徴とする請求項１３に記載の空気入り運動用踏み板。（訂正）
【請求項１５】
運動用踏み板において、
基板と、
前記基板の下面に設けられ、前記基板に加わる荷重を空気圧で吸収する緩衝支持部材と、
前記基板の面に設けられ、ジャンプ回数、時間及びタイマーの少なくとも一つを表示するディスプレイ部と、
前記ディスプレイ部を制御するコントロール部とを含むことを特徴とする運動用踏み板。（訂正）
【請求項１６】
支持部の下部に設けられ、前記支持部に加わる荷重を吸収する空気入り緩衝支持脚であって、
少なくとも２層又は多層構造を有する本体部と、
支持部に荷重が加わると、前記本体内の緩衝空気の一部を外部へ排出する空気調整部とを含む空気入り緩衝支持脚。
【請求項１７】
支持部の下部に設けられ、
前記支持部に加わる荷重を吸収する空気入り緩衝支持脚であって、
異なる容積を有する、層構造を形成するように配列された複数の管状膨出部と、
支持面に接触している閉鎖された土台部と、
通気路を形成するために部分的に開放された上端部とを有する本体部と、
上端部の開放部に設けられ、本体部に流入及び本体部から流出する空気量を調整する空気調節部と、
前記空気調整部が設けられた本体部の上端部を覆うカバー部材とを含む空気入り緩衝支持脚。
【国際調査報告】
2005507291.tif 000035